(57)【特許請求の範囲】
【請求項１】
挿入物を挿入する挿入口を有する箱体を覆う蓋を開閉する蓋開閉装置であって、
挿入物の挿入方向と直交し且つ水平方向に延設された第１支軸に一端を軸支され、当該第１支軸から回動可能に垂下された蓋と、
前記挿入方向に沿って延在し、前記挿入口から前記挿入方向に向かって高さが漸増するガイド面と、
前記蓋よりも前記挿入方向における挿入口側に配置され、前記第１支軸と平行な第２支軸に軸支され、当該第２支軸から回動可能に垂下される開閉キーと、
一端が前記開閉キーに固定されるとともに、他端が前記開閉キーの回動に従って前記ガイド面上を移動するアーム部材と、
前記蓋に固定され、当該蓋とともに前記第１支軸により回動し、一端部を前記アーム部材の上面に配置されるレバー部材とをそなえ、
前記箱体内に前記挿入物が不在の状態においては、前記蓋が前記第１支軸から垂下した状態で前記箱体を塞いで閉状態とし、
前記挿入口へ挿入された前記挿入物により前記開閉キーが前記挿入方向に向かって回動され、前記開閉キーの回動に従って前記アーム部材の前記他端が前記ガイド面上を上昇して、上昇した当該アーム部材が前記レバー部材の一端部を持ち上げ、当該レバー部材に固定された前記蓋を前記第１支軸を中心に回動させて開状態とすることを特徴とする、蓋開閉装置。
【請求項２】
前記挿入物を前記挿入方向と対向する抜出方向へ移動させて前記箱体から抜出する際に、
前記開閉キーが前記挿入物に係止して前記抜出方向に向かって回動され、前記開閉キーの回動に従って前記アーム部材の前記他端が前記ガイド面上を下降して、当該アーム部材の下降に従って、前記レバー部材の他端部を降下させ、当該レバー部材に固定された前記蓋を前記第１支軸を中心に回動させて閉状態とすることを特徴とする、請求項１記載の蓋開閉装置。
【請求項３】
前記閉状態の蓋の前記挿入方向への回動を阻止する抑止部をそなえる
ことを特徴とする、請求項１又は２記載の蓋開閉装置。
【請求項４】
挿入物を挿入する挿入口を有する箱体と、
挿入物の挿入方向と直交し且つ水平方向に延設された第１支軸に一端を軸支され、前記第１支軸から垂下した状態で前記箱体を覆う開閉可能な蓋と、
前記挿入方向に沿って延在し、前記挿入口から前記挿入方向に向かって高さが漸増するガイド面と、
前記蓋よりも前記挿入方向における挿入口側に配置され、前記第１支軸と平行な第２支軸に軸支され、当該第２支軸から回動可能に垂下される開閉キーと、
一端が前記開閉キーに固定されるとともに、他端が前記開閉キーの回動に従って前記ガイド面上を移動するアーム部材と、
前記蓋に固定され、当該蓋とともに前記第１支軸により回動し、一端部を前記アーム部材の上面に配置されるレバー部材とをそなえ、
前記箱体内に前記挿入物が不在の状態においては、前記蓋が前記第１支軸から垂下した状態で前記箱体を塞いで閉状態とし、
前記挿入口へ挿入された前記挿入物により前記開閉キーが前記挿入方向に向かって回動され、前記開閉キーの回動に従って前記アーム部材の前記他端が前記ガイド面上を上昇して、上昇した当該アーム部材が前記レバー部材の他端部を持ち上げ、当該レバー部材に固定された前記蓋を前記第１支軸を中心に回動させて開状態とすることを特徴とする、収納装置。
【発明の詳細な説明】
【技術分野】
【０００１】
本件は、蓋開閉装置及び収納装置に関する。
【背景技術】
【０００２】
例えば、電源ユニット等のモジュールを挿抜可能な複数のスロットをそなえ、装置を通電した状態で、一方のスロットに格納されたモジュールを交換する活性交換を可能とする情報処理装置が知られている。
図８及び図９はそれぞれ従来の情報処理装置５００のスロットの状態を透視して示す平面透視図である。図８及び図９に示す情報処理装置５００においては、隔壁５０４を介してスロット５０２ａとスロット５０２ｂとが隣接して形成されている。
【０００３】
図８に示すように、スロット５０２ａに電源ユニット５１２ａが、又、スロット５０２ｂに電源ユニット５１２ｂが、それぞれ情報処理装置５００のリア側（図８の下側）に形成された挿抜口５１３から挿入される。各スロット５０２ａ，５０２ｂ内において、電源ユニット５１２ａ，５１２ｂは、各一端側に形成されたコネクタ５０３が、それぞれバックパネル５１１に形成されたコネクタ５１２に接続される。
【０００４】
また、各電源ユニット５１２ａ，５１２ｂは、それぞれファン５０１ａ，５０１ｂをそなえ、スロット５０２ａ，５０２ｂに挿入された状態でこれらのファン５０１ａ，５０１ｂを駆動することにより冷却風を生じさせる。
図８に示すように、２つのスロット５０２ａ，５０２ｂに電源ユニット５１２ａ，５１２ｂがそれぞれ挿入された状態では、各電源ユニット５１２ａ，５１２ｂのファン５０１ａ，５０１ｂによって生じる冷却風が、それぞれフロント側から流入して電源ユニット５１２ａ，５１２ｂを通過し、リア側に流れる。この通過する冷却風によって電源ユニット５１２ａ，５１２ｂに搭載された発熱部品が冷却される。
【０００５】
このような情報処理装置５００において、例えば、電源ユニット５１２ａを活性交換する際には、電源ユニット５１２ｂが動作している状態で、図９に示すように、電源ユニット５１２ａをスロット５０２ａの挿抜口から引き抜いて取り出す。その後、新たな電源ユニット５１２ｃを挿抜口５１３からスロット５０２ａに挿入して取り付ける。
【先行技術文献】
【特許文献】
【０００６】
【特許文献１】特開平１０−５５６６１号公報
【発明の概要】
【発明が解決しようとする課題】
【０００７】
しかしながら、このような従来の情報処理装置５００における電源ユニット５１２ａの活性交換時に、電源ユニット５１２ｂの冷却に用いられファン５０１ｂによって排出される冷却風の排気が、電源ユニット５１２ａが抜き出されたスロット５０２ａ内に流入する。
そして、このスロット５０２ａ内に流入した排気が、ファン５０１ｂにより吸引されて、例えば、バックパネル５１１と隔壁５０４との隙間からスロット５０２ｂに吸引され、電源ユニット５１２ｂ内に流入する。ここで、ファン５０１ｂによる排気は、電源ユニット５１２ｂを冷却することにより高温となっている。従って、電源ユニット５１２ｂを冷却することにより高温となった排気が、再度、電源ユニット５１２ｂに流入して、電源ユニット５１２ｂの冷却効率を低下させるという課題がある。
【０００８】
１つの側面では、本件は、挿入物の抜挿時に、挿入物を取り外した箱体内への流入物の進入を抑制することを目的とする。
なお、前記目的に限らず、後述する発明を実施するための形態に示す各構成により導かれる作用効果であって、従来の技術によっては得られない作用効果を奏することも本発明の他の目的の１つとして位置付けることができる。
【課題を解決するための手段】
【０００９】
このため、この蓋開閉装置は、挿入物を挿入する挿入口を有する箱体を覆う蓋を開閉する蓋開閉装置であって、挿入物の挿入方向と直交し且つ水平方向に延設された第１支軸に一端を軸支され、当該第１支軸から回動可能に垂下された蓋と、前記挿入方向に沿って延在し、前記挿入口から前記挿入方向に向かって高さが漸増するガイド面と、前記蓋よりも前記挿入方向における挿入口側に配置され、前記第１支軸と平行な第２支軸に軸支され、当該第２支軸から回動可能に垂下される開閉キーと、一端が前記開閉キーに固定されるとともに、他端が前記開閉キーの回動に従って前記ガイド面上を移動するアーム部材と、前記蓋に固定され、当該蓋とともに前記第１支軸により回動し、一端部を前記アーム部材の上面に配置されるレバー部材とをそなえ、前記箱体内に前記挿入物が不在の状態においては、前記蓋が前記第１支軸から垂下した状態で前記箱体を塞いで閉状態とし、前記挿入口へ挿入された前記挿入物により前記開閉キーが前記挿入方向に向かって回動され、前記開閉キーの回動に従って前記アーム部材の前記他端が前記ガイド面上を上昇して、上昇した当該アーム部材が前記レバー部材の一端部を持ち上げ、当該レバー部材に固定された前記蓋を前記第１支軸を中心に回動させて開状態とする。
【００１０】
また、この収納装置は、挿入物を挿入する挿入口を有する箱体と、挿入物の挿入方向と直交し且つ水平方向に延設された第１支軸に一端を軸支され、前記第１支軸から垂下した状態で前記箱体を覆う開閉可能な蓋と、前記挿入方向に沿って延在し、前記挿入口から前記挿入方向に向かって高さが漸増するガイド面と、前記蓋よりも前記挿入方向における挿入口側に配置され、前記第１支軸と平行な第２支軸に軸支され、当該第２支軸から回動可能に垂下される開閉キーと、一端が前記開閉キーに固定されるとともに、他端が前記開閉キーの回動に従って前記ガイド面上を移動するアーム部材と、前記蓋に固定され、当該蓋とともに前記第１支軸により回動し、一端部を前記アーム部材の上面に配置されるレバー部材とをそなえ、前記箱体内に前記挿入物が不在の状態においては、前記蓋が前記第１支軸から垂下した状態で前記箱体を塞いで閉状態とし、前記挿入口へ挿入された前記挿入物により前記開閉キーが前記挿入方向に向かって回動され、前記開閉キーの回動に従って前記アーム部材の前記他端が前記ガイド面上を上昇して、上昇した当該アーム部材が前記レバー部材の他端部を持ち上げ、当該アーム部材に固定された前記蓋を前記第１支軸を中心に回動させて開状態とする。
【発明の効果】
【００１１】
開示の技術によれば、箱体内への侵入物の侵入を阻止することができる利点がある。
【図面の簡単な説明】
【００１２】
【図１】実施形態の一例としてのシャッター装置を模式的に示す斜視図である。
【図２】実施形態の一例としてのシャッター装置をそなえたディスクアレイ装置のスロットの状態を模式的に示す平面透視図である。
【図３】実施形態の一例としてのシャッター装置の開閉キー及びトラップの構成を示す部分斜視図である。
【図４】（Ａ）〜（Ｄ）は、それぞれ実施形態の一例としてのシャッター装置における連動アームの動作を説明するための側面図である。
【図５】（Ａ）〜（Ｄ）はそれぞれ実施形態の一例としてのシャッター装置の開動作を説明するための部分斜視図である。
【図６】（Ａ）〜（Ｄ）はそれぞれ実施形態の一例としてのシャッター装置の開動作を説明するための側面図である。
【図７】（Ａ）〜（Ｅ）は、それぞれ実施形態の一例としてのシャッター装置の閉動作を説明するための斜視図である。
【図８】従来の情報処理装置のスロットの状態を透視して示す平面透視図である。
【図９】従来の情報処理装置のスロットの状態を透視して示す平面透視図である。
【発明を実施するための形態】
【００１３】
以下、図面を参照して本蓋開閉装置に係る実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形して実施することができる。又、各図は、図中に示す構成要素のみを備えるという趣旨ではなく、他の機能等を含むことができる。
【００１４】
図１は実施形態の一例としてのシャッター装置（蓋開閉装置）１０を模式的に示す斜視図、図２はそのシャッター装置１０をそなえるディスクアレイ装置（収納装置）１のスロットの状態を模式的に示す平面透視図、図３はその開閉キー及びトラップの構成を示す部分斜視図である。又、図４（Ａ）〜（Ｄ）は、それぞれ実施形態の一例としてのシャッター装置１０における連動アーム１６の動作を説明するための側面図である。
【００１５】
装置１は、例えば、サーバやディスクアレイ装置であり、図２に示すように、複数（図２に示す例では２つ）のスロット１００ａ，１００ｂをそなえ、これらのスロット１００ａ，１００ｂに種々のモジュール（挿入物）を挿抜可能に構成されている。すなわち、装置１は、スロット１００ａ，１００ｂ内に挿入物を収納可能な収納装置である。本実施形態においては、装置１がディスクアレイ装置であり、スロット１００ａ，１００ｂに電源ユニット２００ａ，２００ｂをそれぞれ挿抜する例について示す。
【００１６】
図２に示すディスクアレイ装置１においては、隔壁３０１を介してスロット１００ａとスロット１００ｂとが隣り合って形成されている。なお、この図２に示す例においては、シャッター装置１０の図示を省略している。
そして、図２に示す例においては、スロット１００ａに電源ユニット２００ａが、又、スロット１００ｂに電源ユニット２００ｂが、それぞれディスクアレイ装置１のリア側（図２の下側）に形成された挿抜口１１３から挿入される。各スロット１００ａ，１００ｂ内において、電源ユニット２００ａ，２００ｂは、それぞれバックパネル３０２に接続される。すなわち、各電源ユニット２００ａ，２００ｂは、それぞれその一端側に形成されたコネクタ２０２をバックパネル３０２に形成されたコネクタ３０３に接続することにより、バックパネル３０２に接続され、ディスクアレイ装置１に電力を供給する。
【００１７】
なお、スロット１００ａ，１００ｂは同様の構成をそなえている。以下、スロットを示す符号としては、複数のスロットのうち１つを特定する必要があるときには符号１００ａ，１００ｂを用いるが、任意のスロットを指すときには符号１００を用いる。
また、電源ユニット２００ａ，２００ｂは同様の構成をそなえている。以下、電源ユニットを示す符号としては、複数の電源ユニットのうち１つを特定する必要があるときには符号２００ａ，２００ｂを用いるが、任意の電源ユニットを指すときには符号２００を用いる。
【００１８】
電源ユニット２００は、図示しない電力供給装置をそなえ、オペレータ等によりディスクアレイ装置１のスロット１００内に挿入され、バックパネル３０２に接続されることにより、この電力供給装置によって生成する電力をディスクアレイ装置１に供給する。電力供給装置は、電力生成時に発熱する発熱部品であり、安定して稼動するためには冷却される必要がある。
【００１９】
この電源ユニット２００は、直方体形状の筐体を有し、図２に示すように、その一面に冷却ファン２０３をそなえる。冷却ファン２０３は、例えば、図示しない複数のブレードと、同じく図示しないモータとをそなえ、モータがブレードを回転駆動することにより、空気の流れを生じさせ、電源ユニット２００内の発熱部品（電力供給装置）を冷却する。
なお、この冷却ファン２０３としては、既知の種々の冷却装置を用いることができ、例えば、複数の羽を放射状に配置したプロペラファンの他、シロッコファンを用いてもよく、種々変形して実施することができる。
【００２０】
また、電源ユニット２００における冷却ファン２０３が形成された面とは反対側の面には、バックパネル３０２のコネクタ３０２と係合するコネクタ２０２が形成されている。
そして、電源ユニット２００は、このコネクタ２０２が形成された側を先頭にして、スロット１００内に挿入口１１３から挿入される。以下、電源ユニット２００におけるコネクタ２０２が形成された面を挿入面という場合がある。又、以下、スロット１００へ電源ユニット２００を挿入する際に、この電源ユニット２００が移動する方向を挿入方向という。図２に示す例においては、紙面下側から上側に向かう方向が挿入方向である。又、この挿入方向に対向する方向を抜出方向という。
【００２１】
また、電源ユニット２００の筐体の上面を形成する天板におけるコネクタ２０２側の端部付近には、後述するトラップ２２０が形成されている。なお、以下、便宜上、電源ユニット２００の筐体を単に電源ユニット２００という場合がある。
本実施形態においては、冷却ファン２０３によって生成される冷却風は、バックパネル３０２を通過して、電源ユニット２００にその挿入面側から流入し、電源ユニット２００内を通過して冷却ファン２０３から送出される。すなわち、冷却ファン２０３により生成される冷却風は、前述した抜出方向に流れる。
【００２２】
スロット１００は、電源ユニット２００とほぼ相似形状の箱体であり、その内部に電源ユニット２００を格納する。スロット１００は、その一面（図２の下側面）が挿入口１１３として開口しており、この挿入口１１３を介して電源ユニット２００が挿抜される。又、スロット１００内における挿入口１１３と反対側の面（図２の上側面）にはバックパネル３０２が配置されている。そして、各スロット１００ａ，１００ｂにおいて、このバックパネル３０２に形成されたコネクタ３０３が露出しており、各スロット１００内において、これらのコネクタ３０３に、挿入された電源ユニット２００のコネクタ２０２が接合される。
【００２３】
また、スロット１００の一方の側壁１１０は、図１に示すように、内壁１１０ａと外壁１１０ｂとの２枚の板部材をそなえ、これらの内壁１１０ａと外壁１１０ｂとの間には隙間１１０ｃが形成されている。
そして、スロット１００は、その挿入口１１３付近においてスロット１００内を区画するように開閉自在に覆うシャッター装置１０をそなえる。
【００２４】
シャッター装置１０は、図１に示すように、シャッター（蓋）１１，開閉キー１２，回転軸１３，１４，ガイドスロープ（ガイド）１５，連動アーム（アーム部材）１６，ストッパ１７及びフィン１８をそなえる。
ガイドスロープ１５は、上述した内壁１１０ａと外壁１１０ｂとの間の隙間１１０ｃ内において、挿入口１１３側から挿入方向に向かって高さが漸増する傾斜面として形成される。すなわち、このガイドスロープ１５は、挿入方向に沿って延在し、挿入口１１３から奥に向かって高さが漸増する傾斜面である。そして、このガイドスロープ１５上を、後述する連動アーム１６（第２アーム１６２）の端部に形成されたローラ１６４が移動する。
【００２５】
シャッター１１は、スロット１００の内部において、その挿入方向における特定位置において、スロット１００内を開閉自在に覆う板状の蓋であり、スロット１００における前記挿入方向と直交する断面形状と同様の形状を有する。このシャッター１１は、スロット１００の挿入方向と直交し且つ水平方向に延設され回動自在な回転軸（第１支軸）１３に、その一端を軸支され、この回転軸１３から鉛直方向に沿って垂下した状態でスロット１００を覆う。以下、シャッター１１が回転軸１３から垂下し、鉛直下向きとなった状態をシャッター１１の閉状態という。又、この閉状態においては、シャッター１１とスロット１００の内側の各面（上下面及び両側面）との間の隙間は小さくなるように形成されており、これらの隙間を風が通過することを防止している。すなわち、シャッター１１は、その閉状態時において、スロット１００内を挿入方向側と抜出方向とで区画する。なお、本実施形態においては、図中、回転軸１３を軸支する部材の図示を省略する。
【００２６】
また、シャッター１１は、鉛直下向きの状態から、回転軸１３を軸に、挿入口１１３に向かって回動自在に構成されている。又、シャッター１１は、後述するストッパ１７により、鉛直下向きの状態から挿入方向に向かっての回動を抑止されている。
すなわち、シャッター１１は、鉛直下向きの状態から抜出方向にのみ回動自在に構成されている。これにより、シャッター１１は、回転軸１３から垂下した状態でスロット１００を覆い、挿入方向への風圧等の圧力を受けても、挿入方向へ回動することなく、シャッター１１とスロット１００の内側の各面（上下面及び両側面）との間の隙間が大きくなることはない。従って、シャッター１１の閉状態において、挿入方向への風の進入が確実に阻止される。
【００２７】
開閉キー１２は、シャッター１１よりも抜出方向側に配置され、前述した回転軸１３と平行な回転軸（第２支軸）１４に軸支され、この回転軸１４から回動可能に垂下される板状部材である。この開閉キー１２は、挿入口１１３からスロット１００内に電源ユニット２００を挿入する際に、電源ユニット２００により挿入方向に押され、回転軸１４を軸に回動する。なお、本実施形態においては、図中、回転軸１４を軸支する部材の図示も省略する。
【００２８】
図３に示すように、開閉キー１２は、回転軸１４に連結される矩形の係合板１２２をそなえる。この係合板１２２における回転軸１４付近においては、当該係合板１２２における回転軸１４の軸方向に沿った寸法を狭くすべく、両側から切り欠き１２１ａ，１２１ｂが形成されている。以下、開閉キー１２における切り欠き１２１ａ，１２１ｂに挟まれた、回転軸１４の軸方向寸法が小さくなっている領域を通過板部１２３という。又、係合板１２２における通過板部１２３以外の領域を突起板部１２４という。すなわち、開閉キー１２は、通過板部１２３と突起板部１２４とをそなえ、回転軸１４と突起板部１２４との間を通過板部１２３によって連通接続しているともいえる。
【００２９】
また、係合板１２２における、回転軸１４から垂下した状態で抜出方向に向く側の面を表面１２２ａという。すなわち、係合板１２２は、この表面１２２ａにより電源ユニット２００に対向する。
この通過板部１２３の長さ、すなわち、回転軸１４と突起板部１２４との間隔寸法ｔ１は、後述する電源ユニット２００の上面を形成する天板の厚さ寸法ｔ２よりも大きい。又、通過板部１２３の、回転軸１４の軸方向に沿った長さは、トラップ２２０の突起部２２１ａ，２２１ｂの間隔よりも小さい。
【００３０】
さらに、突起板部１２４は後述する電源ユニット２００に形成されたトラップ２２０の切り欠き２２３よりも小さく、又、突起板部１２４の回転軸１４の軸方向に沿った長さは、トラップ２２０の突起部２２１ａ，２２１ｂの間隔よりも大きい。
また、挿入方向におけるシャッター１１と開閉キー１２との間隔、すなわち、回転軸１３と回転軸１４との間隔は、少なくとも、シャッター１１の回転軸１３から他端までの長さよりも長い。これにより、シャッター１１が抜出方向に回動して全開状態となるまでの間に、シャッター１１が挿入される電源ユニット２００と干渉することがない。
【００３１】
フィン（レバー部材）１８は、シャッター１１に固定され、シャッター１１に連動して回転軸１３を軸に回動自在に構成される。又、フィン１８の下端部には回転軸１３と平行に軸支されるローラ１８１が形成されている。このローラ１８１は、後述する連動アーム１６の第２アーム１６２上に配置され、この第２アーム１６２上を移動可能に構成されている。なお、フィン１８の下端部には、ローラ１８１に代えて、例えば、摩擦係数の低い部材をそなえ、第２アーム１６２上を摺動自在に構成してもよく、適宜変更して実施することができる。
【００３２】
ストッパ１７は、図４（Ａ）に示すように、フィン１８の挿入方向側において、シャッター１１が垂直下向きの状態でフィン１８に当接する位置に配置され、当該位置において、フィン１８の挿入方向への移動を阻止する。これにより、ストッパ１７は、シャッター１１が垂直下向きの状態から挿入方向へ回動することを阻止する。
連動アーム（アーム部材）１６は、第１アーム（連通部材）１６１と第２アーム（連通部材）１６２とをヒンジ１６３によりヒンジ接続して構成されている。第１アーム１６１の一端部（上端部）１６１１は、開閉キー１２に固定され、開閉キー１２に連動して回転軸１４を軸に回動自在に構成される。又、第１アーム１６１の他端部（下端部）１６１２は、ヒンジ１６３を介して第２アーム１６２の一端部１６２１とヒンジ接続されている。又、第２アーム１６２の他端にはローラ１６４が形成されている。このローラ１６４は、ガイドスロープ１５上に配置され、このガイドスロープ１５上を移動可能に構成されている。なお、第２アーム１６２の他端には、ローラ１６４に代えて、例えば、摩擦係数の低い部材をそなえ、ガイドスロープ１５上を摺動自在に構成してもよく、適宜変更して実施することができる。
【００３３】
連動アーム１６は、第１アーム１６１と第２アーム１６２とをヒンジ接続して構成され、一端が開閉キー１２に固定されるとともに、他端が開閉キー１２の回動に従ってガイドスロープ１５の傾斜面上を移動する。
図４（Ａ）〜（Ｄ）を用いて、連動アーム１６，フィン１８及びシャッター１１の動作を説明する。なお、図４（Ａ）はシャッター１１の閉状態を示す図、図４（Ｂ），（Ｃ）はそれぞれシャッター１１を開く過程を示す図、図４（Ｄ）はシャッター１１の開状態を示す図である。又、これらの図４（Ａ）〜（Ｄ）中においては、電源ユニット２００の図示を省略している。
【００３４】
スロット１００内に電源ユニット２００が挿入されていない状態においては、図４（Ａ）に示すように、開閉キー１２及びシャッター１１が垂直下向きの状態（全閉状態）である。
次に、図４（Ｂ）に示すように、スロット１００の挿入口１１３から電源ユニット２００を挿入方向（矢印Ａ参照）に少し挿入する。これにより、電源ユニット２００のトラップの辺２２４が開閉キー１２の表面１２２ａを挿入方向に押し、開閉キー１２が回転軸１４を軸として回動する（矢印Ｂ参照）。これに伴い、第１アーム１６１も回動して、その下端部１６１２が挿入方向に移動する。
【００３５】
また、第１アーム１６１の下端部１６１２の移動に従って、第１アーム１６１にヒンジ接続された第２アーム１６２も挿入方向に移動する。これにより、第２アーム１６２のローラ１６４はガイドスロープ１５上を挿入方向に移動することにより上昇し（矢印Ｃ参照）、又、第２アーム１６２の一端部１６２１は、第１アーム１６１の他端部１６１２とともに持ち上げられる。これにより、第２アーム１６２が全体的に上昇する。
【００３６】
第２アーム１６２が上昇すると、この第２アーム１６２上のフィン１８のローラ１８１も、これに従って上昇する。又、この際、第２アーム１６２は挿入口１１３側が低くなるように傾斜しており、且つ、ストッパ１７がフィン１８の挿入方向への移動を阻止しているので、フィン１８のローラ１８１は挿入口１１３側に移動する。従って、フィン１８は、回転軸１３を軸として抜出方向へ回動し（矢印Ｄ参照）、フィン１８に固定されているシャッター１１も回転軸１３を軸として抜出方向へ回動する（矢印Ｅ参照）。すなわち、シャッター１１は挿入口１１３に向かって、その下端を持ち上げるようにして開く。
【００３７】
さらに、挿入口１１３から電源ユニット２００を挿入方向に移動させることにより、図４（Ｃ）に示すように、開閉キー１２が回転軸１４を軸として更に回動し（矢印Ｂ参照）、これに伴い、第１アーム１６１の下端部１６１２も挿入方向に移動する。
第１アーム１６１の下端部１６１２の移動に従って、第１アーム１６１にヒンジ接続された第２アーム１６２も挿入方向に更に移動する。これにより、第２アーム１６２のローラ１６４はガイドスロープ１５上を更に挿入方向に移動しながら上昇し（矢印Ｃ参照）、又、第２アーム１６２の一端部１６２１は、第１アーム１６１の他端部１６１２とともに持ち上げられる。これにより、第２アーム１６２が全体的に更に上昇する。
【００３８】
第２アーム１６２の更なる上昇に従い、この第２アーム１６２上のフィン１８のローラ１８１も上昇する。又、フィン１８は、回転軸１３を軸として抜出方向へ更に回動し（矢印Ｄ参照）、フィン１８に固定されているシャッター１１も回転軸１３を軸として抜出方向へ更に回動する（矢印Ｅ参照）。
その後、図４（Ｄ）に示すように、開閉キー１２がほぼ水平になると、連動アーム１６において第１アーム１６１及び第２アーム１６２もほぼ平行になり、シャッター１１が全開状態となる。又、この際、水平状態となった第２アーム１６２がフィン１８と対向する位置において、第２アーム１６２が下方に突出するように屈曲部１６５が形成されているので、第２アーム１６２がストッパ１７やフィン１８と干渉することがない。
【００３９】
電源ユニット２００の上面におけるコネクタ２０２側の端部付近には、トラップ２２０が形成されている。
図３に示すように、トラップ２２０は、電源ユニット２００の上面を形成する天板において、挿入方向側の端部付近であって、シャッター装置の開閉キー１２と対向する位置に、この開閉キー１２よりも大きな相似形状の切り欠き２２３をそなえて形成されている。又、トラップ２２０においては、その挿入方向の端部において、挿入方向と直交する水平方向に沿って対向する一対の突起部２２１ａ，２２１ｂが形成されている。これらの突起部２２１ａ，２２１ｂは、切り欠き２２３の挿入方向側の端部において、挿入方向と直交する水平方向の間隔を狭くしている。なお、これらの突起部２２１ａ，２２１ｂの間を隙間２２２という。又、前述の如く、この電源ユニット２００の上面を形成する天板の厚さ寸法ｔ２は、前述した開閉キー１２の回転軸１４と突起板部１２４との間隔寸法ｔ１よりも小さい。
【００４０】
電源ユニット２００をスロット１００内に挿入する際には、電源ユニット２００のトラップ２２０が形成された側をスロット１００の挿入口１１３に相対させて、この電源ユニット２００を挿入方向へ移動させる。この際、シャッター装置１０の開閉キー１２の通過板部１２３が、トラップ２２０の隙間２２２を通過する。ここで、突起部２２１ａ，２２１ｂの板厚ｔ２は開閉キー１２の回転軸１４と突起板部１２４との間隔寸法ｔ１よりも薄いので、これらの突起部２２１ａ，２２１ｂと開閉キー１２とが干渉することはない。
【００４１】
ただし、これらの間隔寸法ｔ１と天板の厚さ寸法ｔ２とのクリアランスはできるだけ小さくすることが望ましい。すなわち、開閉キー１２が鉛直下向き状態では、突起部２２１ａ，２２１ｂと開閉キー１２とが干渉することがないように構成される。その一方で、開閉キー１２が回動して傾斜した状態では、突起部２２１ａ，２２１ｂが開閉キー１２の突起板部１２４と干渉し、突起部２２１ａ，２２１ｂが回転軸１４と突起板部１２４との間隙を通過することができないように構成される。
【００４２】
また、更に電源ユニット２００を挿入方向へ移動させると、開閉キー１２（通過板部１２３）は、トラップ２２０の切り欠き２２３の抜出方向の辺２２４に当接する。更に電源ユニット２００を挿入方向へ移動させると、この辺２２４が開閉キー１２を挿入方向へ押し、回転軸１４を軸に回動させる。
そして、更に電源ユニット２００を挿入方向へ移動させ、辺２２４が回転軸１４の下方に位置した状態では、開閉キー１２の係合板１２２は、切り欠き２２３から上方へ抜け出て、ほぼ水平の状態となる。すなわち、開閉キー１２の係合板１２２は、その表面１２２ａを電源ユニット２００の天板の上面に対向させた状態で水平となる。その後、更に電源ユニット２００を挿入方向へ移動させた状態では、開閉キー１２の係合板１２２は、トラップ２２０よりも抜出方向側において、その水平状態を維持する。
【００４３】
一方、電源ユニット２００を抜出方向に移動させてスロット１００内から抜出する際には、開閉キー１２の下部にトラップ２２０の切り欠き２２３が位置すると、開閉キー１２は、シャッター１１もしくは開閉キー１２の自重により傾く。すなわち、開閉キー１２はトラップ２２０の切り欠き２２３内に落ち込む。
この状態で、電源ユニット２００を抜出方向に移動させると、トラップ２２０の突起部２２１ａ，２２１ｂが開閉キー１２の突起板部１２４と干渉する。すなわち、トラップ２２０の突起部２２１ａ，２２１ｂが、開閉キー１２の突起板部１２４に引っかかる。そして、トラップ２２０の突起部２２１ａ，２２１ｂが開閉キー１２に引っかかった状態で更に電源ユニット２００を抜出方向に移動させると、突起部２２１ａ，２２１ｂが開閉キー１２を抜出方向に回動させる。
【００４４】
そして、更に、電源ユニット２００を抜出方向へ移動させ、開閉キー１２が垂直下向きの状態となると、開閉キー１２の回転軸１４と突起板部１２４との間隔を突起部２２１ａ，２２１ｂが通過可能となり、開閉キー１２とトラップ２２０との係止状態が解除されるのである。
上述の如く構成された、実施形態の一例としてのシャッター装置１０をそなえたディスクアレイ装置１における、スロット１００への電源ユニット２００の挿入時の動作を、図５（Ａ）〜（Ｄ）及び図６（Ａ）〜（Ｄ）を用いて説明する。なお、図５（Ａ）〜（Ｄ）は、それぞれ実施形態の一例としてのシャッター装置１０の開動作を説明するための部分斜視図である。図５（Ａ）はシャッター１１の閉状態を示す図、図５（Ｂ），（Ｃ）はそれぞれシャッター１１を開く過程を示す図、図５（Ｄ）はシャッター１１の開状態を示す図である。又、図６（Ａ）〜（Ｄ）は、それぞれ図５（Ａ）〜（Ｄ）に対応する側面図である。
【００４５】
なお、図５（Ａ）〜（Ｄ）や図６（Ａ）〜（Ｄ）中においては、便宜上、連動アーム１６や開閉キー１２等の一部の部品を透視した状態で示している。
スロット１００内に電源ユニット２００が挿入されていない状態においては、図５（Ａ）及び図６（Ａ）に示すように、開閉キー１２及びシャッター１１が垂直下向きの状態になり、スロット１００内への風等の侵入を阻止している。又、ストッパ１７が、フィン１８の挿入方向への回動を阻止している。これにより、例えば、隣接する他のスロット１００に挿入された電源ユニット２００からの排気が進入し、シャッター１１を挿入方向へ押しつけた場合であっても、シャッター１１が挿入方向へ回動することがない。従って、シャッター１１がスロット１００内への他の電源ユニット２００の排気等の侵入を確実に阻止する。すなわち、ディスクアレイ装置１の冷却効率は低下しない。
【００４６】
次に、図５（Ｂ）及び図６（Ｂ）に示すように、オペレータが、スロット１００の挿入口１１３から電源ユニット２００を少し挿入する（図６（Ｂ）の矢印Ａ参照）。
この際、垂直下向きの状態となっている開閉キー１２の通過板部１２３が、トラップ２２０の隙間２２２を通過し、更に電源ユニット２００を挿入方向へ移動させると、開閉キー１２（通過板部１２３）は切り欠き２２３の辺２２４に当接する。この状態から、更に電源ユニット２００を挿入方向へ移動させると、辺２２４が開閉キー１２を挿入方向へ押し、開閉キー１２を挿入方向に回動させる（図６（Ｂ）の矢印Ｂ参照）。これに伴い、第１アーム１６１も回動して、その下端部１６１２が挿入方向に移動する。
【００４７】
第１アーム１６１の下端部１６１２の移動に従って、第１アーム１６１にヒンジ接続された第２アーム１６２も挿入方向に移動する。これにより、第２アーム１６２のローラ１６４はガイドスロープ１５上を挿入方向に移動することにより上昇する（図６（Ｂ）の矢印Ｃ参照）。又、第２アーム１６２の一端部１６２１は、第１アーム１６１の他端部１６１２とともに持ち上げられる。これにより、第２アーム１６２が全体的に上昇する。
【００４８】
第２アーム１６２が上昇すると、この第２アーム１６２上に配置されたフィン１８のローラ１８１も、第２アーム１６２に押されて上昇する。又、第２アーム１６２は挿入口１１３側が低くなるように傾斜しており、且つ、ストッパ１７がフィン１８の挿入方向への移動を阻止しているので、フィン１８のローラ１８１は抜出方向に移動する。従って、フィン１８は、回転軸１３を軸として抜出方向に回動し（図６（Ｂ）の矢印Ｄ参照）、フィン１８に固定されているシャッター１１も回転軸１３を軸として抜出方向に回動する（矢印Ｅ参照）。すなわち、シャッター１１は挿入口１１３に向かって、その下端を上昇させるようにして開く。
【００４９】
図５（Ｃ）及び図６（Ｃ）に示すように、更に、挿入口１１３から電源ユニット２００を挿入方向に移動させると、トラップ２２０の辺２２４が開閉キー１２を挿入方向に回動させる。開閉キー１２が回転軸１４を軸として更に回動すると（図６（Ｃ）の矢印Ｂ参照）、これに伴い、第１アーム１６１の下端部１６１２も、更に挿入方向に移動する。
第１アーム１６１の下端部１６１２の挿入方向への移動に従って、第１アーム１６１にヒンジ接続された第２アーム１６２も挿入方向に更に移動する。これにより、第２アーム１６２のローラ１６４はガイドスロープ１５上を挿入方向に移動しながら更に上昇し（図６（Ｃ）の矢印Ｃ参照）、又、第２アーム１６２の一端部１６２１も、第１アーム１６１の他端部１６１２とともに、更に持ち上げられる。これにより、第２アーム１６２が更に全体的に更に上昇する。
【００５０】
第２アーム１６２の上昇に従い、この第２アーム１６２上のフィン１８のローラ１８１も上昇する。すなわち、フィン１８は、回転軸１３を軸として抜出方向へ更に回動し（図６（Ｃ）の矢印Ｄ参照）、このフィン１８に連動して、シャッター１１も回転軸１３を軸として抜出方向へ更に回動する（図６（Ｃ）の矢印Ｅ参照）。
その後、図５（Ｄ）及び図６（Ｄ）に示すように、開閉キー１２がほぼ水平になると、連動アーム１６において第１アーム１６１及び第２アーム１６２もほぼ平行になり、シャッター１１が全開状態となる。従って、シャッター１１により電源ユニット２００の挿入が妨げられることがなく、電源ユニット２００のコネクタ２０２をバックパネルのコネクタ３０３に接続することができる。
【００５１】
また、図５（Ｄ）及び図６（Ｄ）に示すシャッター１１の全開状態においては、開閉キー１２の係合板１２２も、ほぼ水平の状態となるので、トラップ２２０の切り欠き２２３から上方へ抜け出る。従って、この開閉キー１２も電源ユニット２００の挿入を妨げることはない。
次に、実施形態の一例としてのシャッター装置１０をそなえたディスクアレイ装置１における、スロット１００への電源ユニット２００の抜出時の動作を、図７（Ａ）〜（Ｅ）を用いて説明する。なお、図７（Ａ）〜（Ｅ）は、それぞれ実施形態の一例としてのシャッター装置１０の閉動作を説明するための斜視図である。図７（Ａ）はシャッター１１の開状態を示す図、図７（Ｂ），（Ｃ）はそれぞれシャッター１１を閉じる過程を示す図、図７（Ｄ）はシャッター１１の閉状態を示す図である。又、図７（Ｅ）はスロット１００から電源ユニット２００が抜出された状態を示す図である。なお、図７（Ａ）〜（Ｅ）中においては、便宜上、連動アーム１６等の一部の部品を透視した状態で示している。
【００５２】
スロット１００内に電源ユニット２００が挿入された状態から、オペレータ等が、この電源ユニット２００を抜出方向に移動させて、スロット１００を挿入口１１３から抜き出す。
図７（Ａ）に示す例においては、電源ユニット２００のトラップ２２０が形成された側の端部がシャッター１１の下を通過した後、開閉キー１２の下を通過する直前の状態を示している。
【００５３】
この図７（Ａ）に示す状態において、開閉キー１２は、その通過板部１２３が天板上にあり、且つ、突起板部１２４が開閉キー１２の切り欠き２２３の上部にかかっていて、電源ユニット２００の天板上においてこの天板と平行な状態になっている。すなわち、開閉キー１２の通過板部１２３が電源ユニット２００の天板に支えられて、開閉キー１２及びシャッター１１を水平（全開状態）に維持している。
【００５４】
この図７（Ａ）に示す状態から、更に電源ユニット２００を抜出方向に移動させると、電源ユニット２００の天板による、開閉キー１２の通過板部１２の支えが外れる。すなわち、図７（Ｂ）に示すように、シャッター１１の軸支されていない側の端が、その自重により下方へ移動するように回動する。ただし、図７（Ｂ）に示す例においては、回転軸１３，１４や連動アーム１６等の各可動部の摩擦抵抗等の原因により、シャッター１１は垂直状態（全閉状態）までは落下せずに、抜出方向側へ傾斜した状態となっている。
【００５５】
また、このシャッター１１の回動に連動して、開閉キー１２の突起板部１２４が、トラップ２２０の切り欠き２２３内に落ち込む。この図７（Ｂ）に示す状態においては、開閉キー１２は垂直状態にならずに、挿入方向側へ傾斜した状態となっている。
その後、更に、電源ユニット２００を抜出方向に移動させると、図７（Ｃ）に示すように、開閉キー１２がトラップ２２０の切り欠き２２３内を突起部２２１ａ，２２１ｂ側に移動する。ここで、開閉キー１２は挿入方向に向かって下降するように傾斜した状態になっているので、前述の如く、突起部２２１ａ，２２１ｂが開閉キー１２における回転軸１４と突起板部１２４との間隙を通過することができない。従って、トラップ２２０の突起部２２１ａ，２２１ｂに、開閉キー１２の突起板部１２４が当接する。すなわち、開閉キー１２がトラップ２２０の突起部２２１ａ，２２１ｂに係合する。
【００５６】
この状態から、更に電源ユニット２００を抜出方向へ移動させると、トラップ２２０の突起部２２１ａ，２２１ｂにより開閉キー１２の突起板部１２４が抜出方向に押され、開閉キー１２が抜出方向に回動される。
また、開閉キー１２の回動に連動して、第１アーム１６１も回動し、その下端部１６１２が抜出方向に移動する。第１アーム１６１の下端部１６１２の移動に従って、第１アーム１６１にヒンジ接続された第２アーム１６２も抜出方向に移動する。これにより、第２アーム１６２のローラ１６４はガイドスロープ１５上を抜出方向に移動することにより下降し、又、第２アーム１６２の一端部１６２１は、第１アーム１６１の他端部１６１２とともに引き下げられる。これにより、第２アーム１６２が全体的に下降する。
【００５７】
第２アーム１６２が下降すると、この第２アーム１６２上のフィン１８のローラ１８１も、この第２アーム１６２に従って下降する。従って、フィン１８は、回転軸１３を軸として挿入方向へ回動し、フィン１８に固定されているシャッター１１も回転軸１３を軸として挿入方向へ回動する。すなわち、シャッター１１は挿入方向に向かって、その下端を下降させるようにして閉じてゆく。
【００５８】
開閉キー１２が抜出方向に回動され、図７（Ｄ）に示すように、開閉キー１２が鉛直下向きになると、トラップ２２０の突起部２２１ａ，２２１ｂが、開閉キー１２における回転軸１４と突起板部１２４との間隙を通過することができるようになる。すなわち、開閉キー１２とトラップ２２０との係合が解除される。
また、この状態においては、シャッター１１も垂直下向きとなり、スロット１００を完全に遮断し、スロット１００内への空気等の流入を阻止する。
【００５９】
従って、開閉キー１２が回動され、垂直下向きになった状態で、更に電源ユニット２００を抜出方向に移動させると、図７（Ｅ）に示すように、トラップ２２０の突起部２２１ａ，２２１ｂが、開閉キー１２における回転軸１４と突起板部１２４との間隙を通過する。すなわち、スロット１００からの電源ユニット２００の抜出が完了する。
そして、このようにスロット１００からの電源ユニット２００が抜き出された状態においても、シャッター１１はスロット１００を完全に遮断しており、スロット１００内への空気等の流入を阻止する。又、シャッター１１に対して挿入方向への風圧がかかった場合であっても、ストッパ１７がシャッター１１の挿入方向への回動を阻止するので、スロット１００内への空気等の侵入物の流入は阻止される。
【００６０】
このように、実施形態の一例としてのシャッター装置１０によれば、スロット１００内に電源ユニット２００が不在の状態においては、シャッター１１が回転軸１３から垂直下向きの状態でスロット１００を塞ぐ閉状態となる。これにより、例えば、他の電源ユニット２００の冷却ファン２０３によって生じた排気が、このスロット１００内に流入することを確実に阻止することができ、冷却効率を向上させることができる。
【００６１】
例えば、図２に示す例において、スロット１００ａの電源ユニット２００ａを活性交換する際に、電源ユニット２００ａをスロット１００ａから抜き出した状態で、シャッター装置１０が、電源ユニット２００ｂの排気がスロット１００ａ内へ流入することを阻止する。従って、活性交換時におけるディスクアレイ装置１の冷却効率を低下させることがない。
【００６２】
また、シャッター１１が抜出方向へ回動するように構成されるとともに、ストッパ１７が、垂直下向きの状態、すなわち全閉状態のシャッター１１の挿入方向への移動を阻止する。これにより、例えば、風圧等によりシャッター１１が挿入方向へ押された場合でも、シャッター１１が挿入方向へ回動して隙間等が生じることがなく、スロット１００内への風等の侵入を確実に阻止し、遮蔽度を向上させることができる。すなわち、他の電源ユニット２００の冷却ファン２０３によって生じた排気の流入を確実に阻止することができる。
【００６３】
さらに、スロット１００内への電源ユニット２００の挿入時に、トラップ２２０の辺２２４が開閉キー１２を挿入方向へ押すことにより、シャッター１１を開くように構成されている。すなわち、電源ユニット２００の挿入に連動させてシャッター１１を自動的に開く。これにより、電源ユニット２００の挿入時に、電源ユニット２００のコネクタ２０２がシャッター１１等に接触することがなく、コネクタ２０２に物理的な負荷がかかることがない。従って、コネクタ２０２等の故障率を低下させ、信頼性を向上させることができる。
【００６４】
また、シャッター装置１０において、シャッター１１の開閉をバネ等の弾性部材を用いることなく実現できる。すなわち、シャッター装置１０の構成に弾性部材をそなえる必要がないので、かかる弾性部材の反発力の調整や経年劣化を考慮する必要がない。従って、設計や製造にかかるコストやメンテナンスコストを低減することができる。
そして、開示の技術は上述した実施形態に限定されるものではなく、本実施形態の趣旨を逸脱しない範囲で種々変形して実施することができる。
【００６５】
例えば、上述した実施形態においては、ディスクアレイ装置１に２つの隣り合うスロット１００ａ，１００ｂをそなえた例を示しているが、これに限定されるものではない。例えば、３以上のスロット１００をそなえてもよく、又、これらの複数のスロット１００は装置１の縦方向及び横方向にいずれの方向に並べて構成してもよい。
また、上述した実施形態においては、装置１がディスクアレイ装置１の例を示しているが、これに限定されるものではなく、例えば、サーバコンピュータ等の他の電子装置であってもよい。
【００６６】
さらに、上述した実施形態においては、スロット１００内に格納する挿入物として電源ユニット２００の例を示しているが、これに限定されるものではなく、例えば、ストレージユニットやプロセッサユニット等、他の種々の機器を用いてもよい。
また、上述した実施形態においては、例えば、図１に示すように、連動アーム１６やフィン１８の周囲には側壁１１０が形成されておらず、これらの連動アーム１６やフィン１８が露出している例を示しているが、これに限定されるものではない。すなわち、これらの連動アーム１６やフィン１８の少なくとも一部を内壁１１０ａと外壁１１０ｂとの間の隙間１１０ｃ内に格納してもよい。
【００６７】
また、上述した開示により本実施形態を当業者によって実施・製造することが可能である。
以上の実施形態に関し、更に以下の付記を開示する。
（付記１）
挿入物を挿入する挿入口を有する箱体を覆う蓋を開閉する蓋開閉装置であって、
前記蓋が、挿入物の挿入方向と直交し且つ水平方向に延設された第１支軸に一端を軸支され、当該第１支軸から回動可能に垂下され、
前記挿入方向に沿って延在し、前記挿入口から前記挿入方向に向かって高さが漸増するガイド面と、
前記蓋よりも前記挿入方向における挿入口側に配置され、前記第１支軸と平行な第２支軸に軸支され、当該第２支軸から回動可能に垂下される開閉キーと、
一端が前記開閉キーに固定されるとともに、他端が前記開閉キーの回動に従って前記ガイド面上を移動するアーム部材と、
前記蓋に固定され、当該蓋とともに前記第１支軸により回動し、一端部を前記アーム部材の上面に配置されるレバー部材とをそなえ、
前記箱体内に前記挿入物が不在の状態においては、前記蓋が前記第１支軸から垂下した状態で前記箱体を塞いで閉状態とし、
前記挿入口へ挿入された前記挿入物により前記開閉キーが前記挿入方向に向かって回動され、前記開閉キーの回動に従って前記アーム部材の前記他端が前記ガイド面上を上昇して、上昇した当該アーム部材が前記レバー部材の一端部を持ち上げ、当該レバー部材に固定された前記蓋を前記第１支軸を中心に回動させて開状態とすることを特徴とする、蓋開閉装置。
【００６８】
（付記２）
前記挿入物を前記挿入方向と対向する抜出方向へ移動させて前記箱体から抜出する際に、
前記開閉キーが前記挿入物に係止して前記抜出方向に向かって回動され、前記開閉キーの回動に従って前記アーム部材の前記他端が前記ガイド面上を下降して、当該アーム部材の下降に従って、前記レバー部材の他端部を降下させ、当該レバー部材に固定された前記蓋を前記第１支軸を中心に回動させて閉状態とすることを特徴とする、付記１記載の蓋開閉装置。
【００６９】
（付記３）
前記閉状態の蓋の前記挿入方向への回動を阻止する抑止部をそなえる
ことを特徴とする、付記１又は２記載の蓋開閉装置。
（付記４）
挿入物を挿入する挿入口を有する箱体と、
挿入物の挿入方向と直交し且つ水平方向に延設された第１支軸に一端を軸支され、前記第１支軸から垂下した状態で前記箱体を覆う開閉可能な蓋と、
前記挿入方向に沿って延在し、前記挿入口から前記挿入方向に向かって高さが漸増するガイド面と、
前記蓋よりも前記挿入方向における挿入口側に配置され、前記第１支軸と平行な第２支軸に軸支され、当該第２支軸から回動可能に垂下される開閉キーと、
一端が前記開閉キーに固定されるとともに、他端が前記開閉キーの回動に従って前記ガイド面上を移動するアーム部材と、
前記蓋に固定され、当該蓋とともに前記第１支軸により回動し、一端部を前記アーム部材の上面に配置されるレバー部材とをそなえ、
前記箱体内に前記挿入物が不在の状態においては、前記蓋が前記第１支軸から垂下した状態で前記箱体を塞いで閉状態とし、
前記挿入口へ挿入された前記挿入物により前記開閉キーが前記挿入方向に向かって回動され、前記開閉キーの回動に従って前記アーム部材の前記他端が前記ガイド面上を上昇して、上昇した当該アーム部材が前記レバー部材の他端部を持ち上げ、当該レバー部材に固定された前記蓋を前記第１支軸を中心に回動させて開状態とすることを特徴とする、収納装置。
【００７０】
（付記５）
前記挿入物を前記挿入方向と対向する抜出方向へ移動させて前記箱体から抜出する際に、
前記開閉キーが前記挿入物に係止して前記抜出方向に向かって回動され、前記開閉キーの回動に従って前記アーム部材の前記他端が前記ガイド面上を下降して、当該アーム部材の下降に従って、前記レバー部材の他端部を降下させ、当該レバー部材に固定された前記蓋を前記第１支軸を中心に回動させて閉状態とすることを特徴とする、付記４記載の収納装置。
【００７１】
（付記６）
前記閉状態の蓋の前記挿入方向への回動を阻止する抑止部をそなえる
ことを特徴とする、付記４又は５記載の収納装置。
【符号の説明】
【００７２】
１    ディスクアレイ装置（装置，収納装置）
１０    シャッター装置（蓋開閉装置）
１１    シャッター（蓋）
１２    開閉キー
１３    回転軸（第１支軸）
１４    回転軸（第２支軸）
１５    ガイドスロープ（ガイド面）
１６    連動アーム（アーム部材）
１７    ストッパ（抑止部）
１８    フィン（レバー部材）
１００，１００ａ，１００ｂ    スロット（箱体）
１１３    挿入口
１２２    係合板
１２３    通過板部
１２４    突起板部
１６１    第１アーム
１６２    第２アーム
１６３    ヒンジ
１８１，１６４，１８１    ローラ
２００，２００ａ，２００ｂ    電源ユニット（挿入物）
２０２，３０３    コネクタ
２０３    冷却ファン
２２０    トラップ
２２１ａ，２２１ｂ    突起部
２２２    隙間
２２３，１２１ａ，１２１ｂ    切り欠き
２２４    辺
３０１    隔壁
３０２    バックパネル
１６１１，１６１２，１６２１    端部
【図１】
0005845941.tif 000002
【図２】
0005845941.tif 000003
【図３】
0005845941.tif 000004
【図４】
0005845941.tif 000005
【図５】
0005845941.tif 000006
【図６】
0005845941.tif 000007
【図７】
0005845941.tif 000008
【図８】
0005845941.tif 000009
【図９】
0005845941.tif 000010